(57)【要約】【課題】特に、フェアウェイウッドやユーティリティクラブに用いられるゴルフクラブヘッドにおいて、打球時にフェース部を撓み易くするとともに、方向性や打球の高さの安定化が図れるゴルフクラブヘッドを提供する。【解決手段】本発明は、フェース部５と、クラウン部６と、ソール部７とを備えた中空構造の金属製のヘッド本体３を有するゴルフクラブヘッドであって、フェース部で打球する際、フェース部全体がフェース・バック方向に変位し易いように、少なくともソール部に設けられた溝２０と、溝２０よりもフェース部側に設けられる凹部３０と、を有することを特徴とする。【選択図】  図４
2020156712.tif 000002
【特許請求の範囲】
【請求項１】
フェース部と、クラウン部と、ソール部とを備えた中空構造の金属製のヘッド本体を有するゴルフクラブヘッドであって、
前記フェース部で打球する際、フェース部全体がフェース・バック方向に変位し易いように、少なくとも前記ソール部に設けられた弾性変形部と、
前記弾性変形部よりもフェース部側に設けられる高剛性部と、
を有することを特徴とするゴルフクラブヘッド。
【請求項２】
前記弾性変形部は、前記クラウン部、及び、ソール部に形成され、トウ・ヒール方向に延出する溝を備え、
前記高剛性部は、前記ソール部に形成される溝よりもフェース部側で、前記ソール部の表面形状を変化させることで構成される、
ことを特徴とする請求項１に記載のゴルフクラブヘッド。
【請求項３】
前記高剛性部は、トウ・ヒール方向に間隔をおいて複数形成される凹凸形状で構成されることを特徴とする請求項２に記載のゴルフクラブヘッド。
【請求項４】
前記弾性変形部は、前記クラウン部、及び、ソール部に形成され、トウ・ヒール方向に延出する溝を備え、
前記高剛性部は、前記ソール部に形成される溝よりもフェース部側で、前記ソール部の内面に突出形成されるリブで構成される、
ことを特徴とする請求項１から３のいずれか１項に記載のゴルフクラブヘッド。
【請求項５】
前記リブは、前記溝からフェース部側に向かって延出し、トウ・ヒール方向に間隔をおいて複数形成される、
ことを特徴とする請求項４に記載のゴルフクラブヘッド。
【発明の詳細な説明】
【技術分野】
【０００１】
本発明は、中空構造のゴルフクラブヘッドに関し、特に、フェアウェイウッドやユーティリティと称されるゴルフクラブに適した構造のゴルフクラブヘッドに関する。
【背景技術】
【０００２】
従来、中空構造の金属製ヘッドにおけるフェース部は、撓み易くすることで、打球時にボールの潰れが抑制され、これにより、ボール変形によるエネルギーロスを少なくして、飛距離の向上が図れることが知られている。例えば、特許文献１には、ヘッド本体のフェース側の周囲に溝（内部に突出する屈曲部）を形成して、打球時にフェース部が撓み易いように構成することが知られている。すなわち、ヘッド本体のフェース側に、全周に亘って（ゴルフ規則を考慮した場合、サイド部を除くクラウン部及びソール部でも良い）溝を形成すると、フェース部の周囲が前後方向（フェース・バック方向）に変位し易くなるため、打球時にフェース部の中央が大きく撓んで、飛距離の向上を図ることが期待できる。
【０００３】
また、最近では、フェースの肉厚を、中心よりも周囲ほど薄くして反発係数の高い範囲を広くすることも行われている。特に、特許文献１のように、ヘッド本体のフェース部側に溝を形成することで、フェース部全体が撓み易くなることから、その効果を大きくすることが可能となる。
【先行技術文献】
【特許文献】
【０００４】
【特許文献１】特開２００２−５２０９９号
【発明の概要】
【発明が解決しようとする課題】
【０００５】
ところで、ウッド型ゴルフクラブの内、主に地面からショットする（ティーアップせずにショットする）フェアウェイウッドやユーティリティクラブは、フェース面の高さが低く、フェース面の下側で打球し易い特徴がある。上記した様に、ヘッド本体のフェース部側に溝を形成することで、フェース部全体が撓み易くなって飛距離の向上が期待できるものの、打球位置（フェース面の下方側）での撓みが大きくなることで、そのヘッドの本来のロフト角よりも小さくなった角度で打球がなされることとなる。すなわち、フェース部を撓み易い構造にすると、上記したタイプのゴルフクラブで打球すると、本来のロフト角よりも小さいロフト角でボールを打ち出すこととなり、ボールが上がらなかったり、或いは、その撓みによってボールの初速が低下する要因となる。
【０００６】
また、打点がトウの下側やヒールの下側にばらついた際、上記したように、フェース部全体が撓み易くなっていると、打球位置でのフェース部の変形が大きくなって、フェース部の向きが捩れるような状態で打球が成されてしまい、方向性が悪くなるという問題が生じる。
【０００７】
本発明は、上記した問題に着目してなされたものであり、特に、フェアウェイウッドやユーティリティクラブに用いられるゴルフクラブヘッドにおいて、打球時にフェース部を撓み易くするとともに、方向性や打球の高さの安定化が図れるゴルフクラブヘッドを提供することを目的とする。
【課題を解決するための手段】
【０００８】
上記した目的を達成するために、本発明に係るゴルフクラブヘッドは、フェース部と、クラウン部と、ソール部とを備えた中空構造の金属製のヘッド本体を有しており、前記フェース部で打球する際、フェース部全体がフェース・バック方向に変位し易いように、少なくとも前記ソール部に設けられた弾性変形部と、前記弾性変形部よりもフェース部側に設けられる高剛性部と、を有することを特徴とする。
【０００９】
上記したヘッド構造によれば、少なくともソール部に設けられた弾性変形部によって、打球時にフェース部の全面が均一にフェース・バック方向に変位して打球するため、飛距離の向上が図れる。この場合、フェース部での打点位置が下側になる(ミスヒットする)と、従来のフェース部が変位し易い構造のゴルフクラブヘッドでは、ミスヒットした位置でフェース・バック方向に押圧力を受けるようになる。これは、フェース部を、ロフトが立つ方向に撓ませることとなるため、ボールが上がらなくなってしまうが、上記したように、ソール部に設けられている弾性変形部よりもフェース部側に高剛性部を設けることで、ロフトが立つ方向の撓みが抑制され、そのロフト角に応じた打球(高弾道の打球)が得られるようになる。また、打点がトウの下側やヒールの下側にばらついても、前記高剛性部によって、局部的にフェース部が変形するような撓みが抑制されるため、方向性も安定するようになる。
【発明の効果】
【００１０】
本発明によれば、打球時にフェース部を撓み易くするとともに、方向性や打球の高さの安定化が図れるゴルフクラブヘッドが得られる。
【図面の簡単な説明】
【００１１】
【図１】本発明に係るゴルフクラブヘッドの第１の実施形態を示す図であり、ゴルフクラブヘッドを装着したゴルフクラブを示す正面図。
【図２】図１に示すゴルフクラブヘッドをクラウン部側から見た正面斜視図。
【図３】図１に示すゴルフクラブヘッドをソール部側から見た正面斜視図。
【図４】図１のＩＶ―ＩＶ線に沿った断面図。
【図５】図３のＶ−Ｖ線に沿った断面図。
【図６】（ａ）は、ソール部に高剛性部が形成されたゴルフクラブヘッドによる打球の状態を示す図、（ｂ）は、ソール部に高剛性部が形成されていないゴルフクラブヘッドによる打球の状態を示す図。
【図７】ゴルフクラブを構えた際のヘッド本体の正面図。
【図８】本発明に係るゴルフクラブヘッドの第２の実施形態を示す図であり、ソール部側から見た正面斜視図。
【図９】図８に示すゴルフクラブヘッドのヒール部側の内部構造を示す断面図。
【図１０】本発明に係るゴルフクラブヘッドの第３の実施形態を示す図であり、（ａ）は、ゴルフクラブヘッドをソール部側から見た図、（ｂ）は、ゴルフクラブヘッドをフェース部側から見た図。
【図１１】本発明に係るゴルフクラブヘッドの第４の実施形態を示す図であり、（ａ）は、ゴルフクラブヘッドをソール部側から見た図、（ｂ）は、ゴルフクラブヘッドをフェース部側から見た図。
【図１２】本発明に係るゴルフクラブヘッドの第５の実施形態を示す図であり、（ａ）は、ゴルフクラブヘッドをソール部側から見た図、（ｂ）は、ゴルフクラブヘッドをフェース部側から見た図。
【図１３】ソール部のフェース部側に形成される高剛性部の形成位置を説明する図であり、（ａ）は、ゴルフクラブヘッドをソール部側から見た拡大図、（ｂ）は、ゴルフクラブヘッドをヒール部側から見た図。
【図１４】本発明に係るゴルフクラブヘッドの第６の実施形態を示す図であり、ソール部側から見た正面斜視図。
【図１５】図１４に示すゴルフクラブヘッドのフェース部側の内部構造を示す断面図。
【発明を実施するための形態】
【００１２】
以下、本発明に係るゴルフクラブヘッドの実施形態について、添付図面を参照して説明する。
図１から図５は、ゴルフクラブヘッドの第１の実施形態を示す図であり、図１は、本実施形態に係るゴルフクラブヘッドを装着したゴルフクラブを示す正面図、図２は、図１に示すゴルフクラブヘッドをクラウン部側から見た正面斜視図、図３は、図１に示すゴルフクラブヘッドをソール部側から見た正面斜視図、図４は、図１のＩＶ―ＩＶ線に沿った断面図、そして、図５は、図３のＶ−Ｖ線に沿った断面図である。
【００１３】
本実施形態に係るゴルフクラブ１は、ヘッド本体３にシャフト５０を止着したフェアウェイウッドタイプとして構成されている。
前記ヘッド本体３は、打球面（フェース面）５ａを有するフェース部５と、フェース部５の上縁から後方に延出するクラウン部６と、フェース部５の下縁から後方に延出するソール部７と、前記クラウン部６及びソール部７の縁部を繋ぐサイド部８とを備えた中空構造となっている。前記サイド部８は、フェース部５と対向するバック部８ａと、フェース部５からバック部８ａを経由するトウ部８ｂ及びヒール部８ｃを備えている。なお、前記サイド部８は、クラウン部６との間、及び、ソール部７との間で稜線によって区画される場合、その稜線同士の間の領域で定義されるが、図に示すように、ソール部７との間で、稜線で区画されることなくソール部から面一状に形成される場合、地面に接地するソール部７から立ち上がった領域で定義される。
【００１４】
前記ヘッド本体３は、様々な位置で分割した複数の金属製の外殻部材同士を溶着、接着等によって接合することで構成されている。それぞれの外殻部材については、例えば、チタン合金、ステンレス系、鉄系、アルミ系合金、マグネシウム合金等の金属を鋳造、プレス成形等で一体形成することが可能であり、それぞれの端縁領域を溶接、接着、ロウ付け、ビス止め等することによりヘッド本体３が作成される。この場合、ヘッド本体３を構成する各部材（外殻部材）は、サイド部８を、ソール部７と一体化したり、クラウン部６と一体化する等、複数の部材、或いは各部材の部分的な構成要素を鋳造等で一体形成しておき、それらを溶着、接着等によって接合したものであっても良い。また、サイド部８については、図に示すように、ソール部７との間で稜線を形成することなく面一状に一体化した構成であっても良いし、クラウン部６との間で稜線を形成することなく面一状に一体化した構成であっても良い。
【００１５】
前記フェース部５については、例えば、チタン、チタン合金、ステンレス系、鉄系等の金属を、プレス加工、ＣＮＣ加工、或いは鍛造等することで形成されており、溶接、レーザ溶接、プラズマ溶接、ロウ付け、接着等によって、クラウン部、ソール部及びサイド部の前方側に形成された開口に対して接合される。この場合、フェース部５は、板状に形成されて他の外殻部材に対して接合しても良いし、カップ状に形成されて、クラウン部、サイド部、ソール部の前端縁に接合され、これらの一部を構成していても良い。
【００１６】
また、ヘッド本体３内には、シャフト（図示せず）の先端を止着するホーゼル部１０が一体形成されている。このホーゼル部１０は、クラウン部６から上方に突出しており、この開口穴１０ａに前記シャフト５０の先端部が嵌合され止着される。
【００１７】
前記フェース部５の打球面（フェース面）５ａは、打球がされる部分であり、上下を規定するトップエッジ５Ａ、ソールエッジ５Ｂ、及び両サイドを規定するサイドエッジ５Ｃによって囲まれた領域となっている。すなわち、フェース面５ａについては、ヘッド本体３を正面視した際、それが把握できるように、クラウン部６、ソール部７及びサイド部８との間の稜線（前記トップエッジ５Ａ、ソールエッジ５Ｂ、及びサイドエッジ５Ｃによる境界線）によって把握できるようになっている。なお、稜線が湾曲している場合は、前記境界線は、湾曲頂部によって規定される。この場合、前記フェース面５ａが明確になるように、境界線部分を色彩などによって色分けしても良い。また、フェース面５ａには、別途、スコアラインを形成しておいても良い。
【００１８】
前記フェース部５には、クラウン・ソール方向（上下方向）に沿って湾曲するロールが形成されると共に、トウ・ヒール方向（左右方向）に沿って湾曲するバルジが形成されており、両方の湾曲部の頂部領域に、フェース部５の中央位置（フェースセンター）Ｃが存在している。このフェースセンターＣは、上記したように規定されるフェース面５ａの幾何学的中心位置である。すなわち、図１において、ゴルフクラブを基準水平面Ｐに対して規定のライ角で構えた状態でフェース面５ａを正面視した際、フェース面５ａの最大幅の中央において基準水平面Ｐに対して垂直面を引いた場合、その垂直面上におけるフェース高さの中央位置がフェースセンターＣとなる。
このフェースセンターＣは、フェース部５で最も撓み量（フェース・バック方向の撓み量）が大きい領域となり易い。
【００１９】
前記ヘッド本体３には、フェース部で打球する際、フェース部５全体がフェース・バック方向に変位し易い（中央部が撓み易い）ように弾性変形部が設けられている。本実施形態の弾性変形部は、ヘッド本体３のフェース部側に設けられており、周方向に沿うように形成された溝２０によって構成されている。本実施形態の溝２０は、クラウン部６のトウ側端部とヒール側端部を除いた領域で、トウ・ヒール方向に延出するように形成され（クラウン側の溝２０Ａ）、かつ、ソール部７から立ち上がるサイド領域において、トウ側端部とヒール側端部を除いた領域で、ソール部７のトウ・ヒール方向に延出するように形成されている（ソール側の溝２０Ｂ）。すなわち、前記溝２０は、ヘッド本体３のフェース部側において、連続して環状に形成されるのではなく、クラウン部６及びソール部７の夫々で、トウ側端部及びヒール側端部で終端するように形成されている。
【００２０】
このように、ヘッド本体のフェース部側に溝２０（２０Ａ，２０Ｂ）を形成することで、フェース部５の撓み性を向上することが可能となる。なお、溝２０の断面形状については、特に限定されることはなく、図４のクラウン部６に形成される溝２０Ａのように断面凹状、ソール部７に形成される溝２０Ｂのように断面Ｕ状、更には、断面Ｖ状に形成する等、フェース部５の撓み性を向上できる構成であれば良い。
【００２１】
前記弾性変形部を溝２０（２０Ａ，２０Ｂ）で構成する場合、その溝は、周方向に沿って連続形成されるのではなく、フェース部の撓み性を向上できれば、ヘッド本体のフェース部側において、非連続的に形成されていても良い。また、そのような溝（弾性変形部）については、少なくともソール部側に設けられる構成であっても良い。
【００２２】
前記ヘッド本体３には、上記したように形成されるソール側の溝２０Ｂよりもフェース部側に高剛性部が設けられる。この高剛性部は、前記弾性変形部によってフェース部５全体がフェース・バック方向に変位し易い構造において、打点がソール部側にずれた際にソール部側での撓みを抑制するように設けられるものであり、本実施形態では、ソール部７のフェース部側の表面形状を変化させることで形成されている。具体的には、上記したように構成される溝２０（２０Ｂ）に対して、フェース部側に、トウ・ヒール方向に間隔をおいて複数形成される凹凸形状（所定の間隔をおいてトウ・ヒール方向に沿って配設される凹部３０）で構成されている。この凹部３０は、略円形状乃至は略半円形状で、トウ・ヒール方向に沿って略等間隔で４箇所形成されており、このような凹部３０を連続して形成することで、溝２０とフェース部５のソールエッジ５Ｂ（リーディングエッジ）との間の剛性を高めることができ、打球時にフェース部５が撓んでも、圧縮方向（フェース・バック方向）に潰れ難くすることが可能となる。
【００２３】
なお、上記した凹部３０（凹凸形状）は、溝２０Ｂの前方側の剛性を高めるため、溝２０Ｂの幅方向に亘って形成することが好ましいが、トウ・ヒール方向において、撓み易い中央領域に形成しても良い。また、凹部３０の大きさ、形状、深さについては、特に限定されることはないが、効果的に潰れ難くするように、ソールエッジ５Ｂの近傍位置からバック側に形成することが好ましい。
【００２４】
上記したヘッド構造によれば、ヘッド本体３のフェース部側に弾性変形部を構成する溝２０が形成されているため、打球時にフェース部５全体をフェース・バック方向に変位させ易く（撓み易く）することができる。また、ソール部に形成される溝２０Ｂとフェース部との間に高剛性部を構成する凹部（凹凸形状）３０が形成されているため、打球時に打点がソール部側にばらついても、フェース部下側の撓みが抑制されて、ロフトが立った状態で打球したり、フェース面が捩れた状態で打球することが抑制される。
【００２５】
これを図６（ａ）（ｂ）を参照して説明する。なお、図６では、芝生上のボールを打球することを示しており、ボールはソール部７の設置面Ｐに対いて多少浮いた状態で示してある。
上述したように、フェアウェイウッドは、ボールをティーアップすることなく打球することから、図に示すように、打点は、フェースセンターＣよりも下側になり易い。このような位置で打球がなされると、ヘッド本体には上記した弾性変形部（溝２０）が設けられているため、フェース部５全体が撓んだ状態で打球される。
【００２６】
この場合、上記したような高剛性部（凹部３０）が形成されていないと、図６（ｂ）の矢印で示すように、フェース部５のソール側がそのままバック側に撓んでしまい、通常はロフト角（Ｌで示すライン）で打球が成されるものの、その撓みによって、ロフト角が立った状態（Ｌ１´で示すライン）で打球が成されてしまう。すなわち、フェース部５は、弾性変形部（溝２０）によって撓むものの、打点位置がソール部側にずれると、ソール部側の撓みが大きくなって、その打ち出し方向は、Ｄ１（Ｌ１´に直交する方向）となり、通常のロフト角による打ち出し角度とはならない。
【００２７】
これに対し、本実施形態のように、溝２０Ｂよりもソール部側に高剛性部（凹部３０）が形成されると、図６（ａ）に示すように、フェース部５のソール部側の撓みが抑制されるため、通常のロフト角（Ｌで示すライン）から、略平行に撓んだ状態のロフト角（Ｌ１で示すライン）で打球することが可能となる。すなわち、フェース部５は、弾性変形部の機能によって撓みつつ、その打ち出し方向は、Ｄ（Ｌ１に直交する方向）となり、通常のロフト角による打ち出し角度で打球することが可能となる。
【００２８】
上記したヘッド構造によれば、弾性変形部を構成する溝２０によって、打球時にフェース部５が撓むため、飛距離の向上が図れると共に、ソール部５に設けられている溝２０Ｂよりもフェース部側に高剛性部を構成する凹部３０を設けたことで、ロフトが立つ方向の撓みが抑制され、そのロフト角に応じた打球(高弾道の打球)が得られるようになる。
【００２９】
また、打点がトウの下側やヒールの下側にばらついても、凹部３０によってフェース部５の下側での撓み（フェース面の捩れるような変形）が抑制されるため、打球の方向性が安定する。さらに、凹部３０を形成したことで、剛性が高まってソール部が変形し難くなるため、打球した際のヘッド本体側の変形によるエネルギーロスが少なくなり、フェース部５の撓みが効果的に受け止められて反発性を高めることが可能となる（ボールの初速が向上すると共に高弾道となり、飛距離の向上が図れるようになる）。
【００３０】
また、上記したように、フェース部５のソールエッジ５Ｂ付近に、複数個の凹部（凹凸形状）を形成したことで、図７で示すように、接地面Ｐとの接触摩擦の低減が図れ、ラフ等であっても、振り抜きやすいゴルフクラブヘッドとなる。
【００３１】
さらに、上記した凹部３０で形成される高剛性部は、単に凹凸形状だけで、補強部材を設けたり、肉厚を厚くする等、重量を増加させる構造でないため、ヘッド本体が重量化したり、重心深度が浅くなることもない。
なお、上記した構成の溝２０及び凹部３０は、ヘッド本体を構成する外殻部材を鋳造やプレス成形によって形成する際、各外殻部材の接合ポイントを考慮して、外殻部材と共に一体形成することが可能である。
【００３２】
次に、本発明に係るゴルフクラブヘッドの別の実施形態について説明する。
なお、以下に説明する実施形態では、上記した実施形態と同様な構成については、同一の参照符号を付し、詳細な説明については省略する。
【００３３】
図８及び図９は、ゴルフクラブヘッドの第２の実施形態を示す図であり、図８はソール部側から見た正面斜視図、図９は図８に示すゴルフクラブヘッドのヒール部側の内部構造を示す断面図である。
この実施形態の高剛性部は、上記した第１実施形態と同様、ソール部７のフェース部側の表面形状を変化させることで形成されている。具体的には、トウ・ヒール方向に一定間隔をおいて形成される長溝（凹部）３１で構成しており、各長溝３１は、圧縮方向に潰れ難いように、フェース・バック方向に延出するように形成されている。
【００３４】
このように、フェース部５が撓む圧縮方向の剛性が高まれば（圧縮に強い構造であれば）、高剛性部の形状については適宜変形することが可能であり、上記以外にも、例えば、図１０から図１２で示すように構成することが可能である。
【００３５】
図１０は、第３の実施形態を示しており、（ａ）は、ゴルフクラブヘッドをソール部側から見た図、（ｂ）は、ゴルフクラブヘッドをフェース部側から見た図である。
この実施形態の高剛性部は、溝２０Ｂとフェース部５との間で、トウ・ヒール方向に沿って、連続的に断面Ｕ字状の凹凸が繰り返して形成された波状部（凹凸部）３２で構成されている。
【００３６】
図１１は、第４の実施形態を示しており、（ａ）は、ゴルフクラブヘッドをソール部側から見た図、（ｂ）は、ゴルフクラブヘッドをフェース部側から見た図である。
この実施形態の高剛性部は、溝２０Ｂとフェース部５との間で、トウ・ヒール方向に沿って、断続的に複数の略三角形状の凹部３３で構成されている。各凹部３３は、断面が略Ｖ字形状となっており、バック側に向けて次第に幅が狭くなると共に、深さも浅くなるように形成されており、フェース・バック方向に潰れ難い形状となっている。
【００３７】
図１２は、第５の実施形態を示しており、（ａ）は、ゴルフクラブヘッドをソール部側から見た図、（ｂ）は、ゴルフクラブヘッドをフェース部側から見た図である。
この実施形態の高剛性部は、溝２０Ｂとフェース部５との間で、トウ・ヒール方向に沿って、断続的に複数の略半円形状の凹部３４で構成されており、各凹部３４は、断面が略Ｕ字状に形成されている。
【００３８】
上記したように、高剛性部を、ソール部７の表面形状を変化させて形成する場合、打球時に生じるフェース・バック方向の圧縮に強い形状であれば、その形状や断面形状等については、種々、変形することが可能である。なお、上記した様に形成される高剛性部は、図１３（ａ）（ｂ）に示すように、フェース部のソールエッジ５Ｂの近傍に形成されていれば良く（図では、異なる形状の凹部を示してある）、ソールエッジ５Ｂに凹凸が生じていなければ（アドレス時に凹凸形状が視認できない状態）、その形成位置は適宜変形することが可能である。
【００３９】
図１４及び図１５は、ゴルフクラブヘッドの第６の実施形態を示す図であり、図１４はソール部側から見た正面斜視図、図１５は図１４に示すゴルフクラブヘッドのフェース部側の内部構造を示す断面図である。
この実施形態の高剛性部は、ソール部７のフェース部側の内面に突出形成される補強用のリブ３７で構成している。具体的には、リブ３７は、トウ・ヒール方向に一定間隔をおいて複数個、突出形成されており、各リブ３７は、圧縮方向に潰れ難いように、フェース・バック方向に延出するように形成されている。
【００４０】
このように、フェース部５が撓む圧縮方向の剛性が高まれば、高剛性部は、リブで構成することが可能であり、そのリブ形状についても、楕円形状、円形状、水滴型にする等、適宜変形することが可能である。また、形成されるリブの個数は限定されることはなく、リブは、ヘッド本体の内面に形成されるため、ソール部の表面の凹凸形状を無くして面一状にすることが可能となる。
【００４１】
以上、本発明の実施形態について説明したが、本発明は、上記した実施形態に限定されることはなく、種々変形することが可能である。
【００４２】
例えば、フェース部５の撓み性を向上するための溝２０については、溝幅、深さ、形成位置、形状など、適宜変形することが可能である。また、弾性変形部については、フェース部全体が撓み易いように形成されたものであれば良く、前記高剛性部については、フェース部が撓んだ際、ソール部側を潰れ難くする構造であれば、適宜変形することが可能である。
【００４３】
また、本発明は、ボールをティーアップして打球しないウッド型のゴルフクラブ（フェアウェイウッド、ユーティリティ）であることが好ましい。このようなクラブでは、フェース面のソール部側で打球することが多いため、上記した構造にすることで、高弾道でバラツキが抑えられた打球をすることが可能である。具体的には、ロフト角が１３°未満だと、ティーアップして打球することを前提としていることが多い為、１３°以上のウッドタイプのゴルフクラブに適用することが好ましい。
【符号の説明】
【００４４】
１  ゴルフクラブ
３  ヘッド本体
５  フェース部
５Ｂ  ソールエッジ
６  クラウン部
７  ソール部
２０，２０Ａ，２０Ｂ  溝（弾性変形部）
３０，３１，３３，３４  凹部（高剛性部）
３２  波状部（高剛性部）
３７  リブ（高剛性部）
Ｃ  フェースセンター
【図１】
2020156712.tif 000003
【図２】
2020156712.tif 000004
【図３】
2020156712.tif 000005
【図４】
2020156712.tif 000006
【図５】
2020156712.tif 000007
【図６】
2020156712.tif 000008
【図７】
2020156712.tif 000009
【図８】
2020156712.tif 000010
【図９】
2020156712.tif 000011
【図１０】
2020156712.tif 000012
【図１１】
2020156712.tif 000013
【図１２】
2020156712.tif 000014
【図１３】
2020156712.tif 000015
【図１４】
2020156712.tif 000016
【図１５】
2020156712.tif 000017